(57)【要約】【課題】新部品や属性未調査部品の部品属性情報を効率良く集めることができ、設計開発効率を向上させることができる部品情報管理装置を提供する。【解決手段】製品構成情報データベース１０４に格納された階層データ中に属性未調査部品があると、仕入元メーカを部品情報データベース１０３から検索し、該当する部品仕入元メーカが見つかると、該メーカの他の部品で属性未調査のものを部品情報データベース１０３から抽出する。そして、属性未調査部品をデータ調査シートに転記して電子メールにて部品仕入元メーカに送り、部品仕入元メーカから属性が記入されたデータ調査シートが電子メールにて送られてくると、そのデータ調査シートを部品情報データベース１０３及び製品構成情報データベース１０４に反映させる。【選択図】図１
2005346343.tif 000002
【特許請求の範囲】
【請求項１】
製品を構成する複数の部品夫々を示す情報を記憶した製品構成情報記憶手段と、
複数の部品と各部品の仕入元を示す情報を記憶した部品情報記憶手段と、
を備えた部品情報管理装置において、
前記製品構成情報記憶手段から属性未調査分を検索し、検索した少なくとも１つの属性未調査部品の仕入元を前記部品情報記憶手段にて検索し、該当する仕入元があれば更にその仕入元が納入した他の部品で属性未調査のものを検索する属性未調査部品検索手段と、
前記属性未調査部品検索手段で検索された少なくとも１つの属性未調査部品をそれの仕入元に電子メールにて通知し、この通知により前記仕入元より電子メールにて属性調査済み結果の通知があると、該結果を前記製品構成情報記憶手段及び部品情報記憶手段に反映させる部品属性情報収集手段と、
を備えた部品情報管理装置。
【請求項２】
前記部品属性情報収集手段は、前記仕入元に前記電子メールを送信した時から所定期限内に前記仕入元より返信が無い場合には催促の通知を送る請求項１に記載の部品情報管理装置。
【請求項３】
製品を構成する複数の部品夫々を示す情報を記憶した製品構成情報記憶手段と、
複数の部品と各部品の仕入元を示す情報を記憶した部品情報記憶手段と、
を備えた部品情報管理装置におけるプログラムにおいて、
前記製品構成情報記憶手段から属性未調査分を検索し、検索した少なくとも１つの属性未調査部品の仕入元を前記部品情報記憶手段にて検索し、該当する仕入元があれば更にその仕入元が納入した他の部品で属性未調査のものを検索する属性未調査部品検索手順と、
前記属性未調査部品検索手順で検索された少なくとも１つの属性未調査部品をそれの仕入元に電子メールにて通知し、この通知により前記仕入元より電子メールにて属性調査済み結果の通知があると、該結果を前記製品構成情報記憶手段及び部品情報記憶手段に反映させる部品属性情報収集手順と、
を有し、コンピュータに前記各手順を実行させるプログラム。
【請求項４】
前記部品属性情報収集手順は、前記仕入元に前記電子メールを送信した時から所定期限内に前記仕入元より返信が無い場合には催促の通知を送る請求項３に記載のプログラム。
【発明の詳細な説明】
【技術分野】
【０００１】
本発明は、電化製品などの各種製品を構成する部品を管理する部品情報管理装置に関する。
【背景技術】
【０００２】
従来、上述した部品情報管理装置では、新部品や属性調査を行っていない部品の属性情報を部品１個単位で収集するようにしている（例えば、特許文献１参照）。
【０００３】
【特許文献１】特開平９−５０４６１号公報（第４頁、図６及び図７）
【発明の開示】
【発明が解決しようとする課題】
【０００４】
しかしながら、従来の部品情報管理装置においては、新部品や属性未調査部品の部品属性情報を部品１個単位で収集するようにしているため、その部品属性情報を効率良く集めることが難しく、そのことが設計開発効率の向上を妨げているという問題がある。
【０００５】
本発明は、係る事情に鑑みてなされたものであり、新部品や属性未調査部品の部品属性情報を効率良く集めることができ、設計開発効率を向上させることができる部品情報管理装置を提供することを目的とする。
【課題を解決するための手段】
【０００６】
上記目的は下記構成又はプログラムにより達成される。
（１）  製品を構成する複数の部品夫々を示す情報を記憶した製品構成情報記憶手段と、複数の部品と各部品の仕入元を示す情報を記憶した部品情報記憶手段と、を備えた部品情報管理装置において、前記製品構成情報記憶手段から属性未調査分を検索し、検索した少なくとも１つの属性未調査部品の仕入元を前記部品情報記憶手段にて検索し、該当する仕入元があれば更にその仕入元が納入した他の部品で属性未調査のものを検索する属性未調査部品検索手段と、前記属性未調査部品検索手段で検索された少なくとも１つの属性未調査部品をそれの仕入元に電子メールにて通知し、この通知により前記仕入元より電子メールにて属性調査済み結果の通知があると、該結果を前記製品構成情報記憶手段及び部品情報記憶手段に反映させる部品属性情報収集手段と、を備えている。
【０００７】
（２）  上記（１）に記載の部品情報管理装置において、前記部品属性情報収集手段は、前記仕入元に前記電子メールを送信した時から所定期限内に前記仕入元より返信が無い場合には催促の通知を送る。
【０００８】
（３）  製品を構成する複数の部品夫々を示す情報を記憶した製品構成情報記憶手段と、複数の部品と各部品の仕入元を示す情報を記憶した部品情報記憶手段と、を備えた部品情報管理装置におけるプログラムにおいて、前記製品構成情報記憶手段から属性未調査分を検索し、検索した少なくとも１つの属性未調査部品の仕入元を前記部品情報記憶手段にて検索し、該当する仕入元があれば更にその仕入元が納入した他の部品で属性未調査のものを検索する属性未調査部品検索手順と、前記属性未調査部品検索手順で検索された少なくとも１つの属性未調査部品を仕入元に電子メールにて通知し、この通知により前記仕入元より電子メールにて属性調査済み結果の通知があると、該結果を前記製品構成情報記憶手段及び部品情報記憶手段に反映させる部品属性情報収集手順と、を有し、コンピュータに前記各手順を実行させる。
【０００９】
（４）  上記（３）に記載のプログラムにおいて、前記部品属性情報収集手順は、前記仕入元に前記電子メールを送信した時から所定期限内に前記仕入元より返信が無い場合には催促の通知を送る。
【発明の効果】
【００１０】
上記（１）に記載の部品情報管理装置では、属性未調査部品の部品属性情報を部品１個単位で収集することなく、仕入元（又は部品メーカ）単位で収集できるため、効率良く部品属性情報が集まり、その結果、製品を構成するうえにおいて調査済みである部品数が飛躍的に向上することから、設計開発効率が向上する。そして、設計開発効率が向上することで、製品を市場に提供できるまでの時間の短縮化に貢献できる。
【００１１】
上記（２）に記載の部品情報管理装置では、部品の仕入元に送信した属性調査依頼の電子メールに対して、該仕入元から所定期限以内に返信が無いと催促の電子メールを送るので、属性調査結果を確実に取得することができ、製品構成情報記憶手段及び部品情報記憶手段への反映を確実なものにできる。
【００１２】
上記（３）に記載のプログラムでは、属性未調査部品の部品属性情報を部品１個単位で収集することなく、仕入元（又は部品メーカ）単位で収集できるため、効率良く部品属性情報が集まり、その結果、製品を構成するうえにおいて調査済みである部品数が飛躍的に向上することから、設計開発効率が向上する。そして、設計開発効率が向上することで、製品を市場に提供できるまでの時間の短縮化に貢献できる。
【００１３】
上記（４）に記載のプログラムでは、部品の仕入元に送信した属性調査依頼の電子メールに対して、該仕入元から所定期限以内に返信が無いと催促の電子メールを送るので、属性調査結果を確実に取得することができ、製品構成情報記憶手段及び部品情報記憶手段への反映を確実なものにできる。
【発明を実施するための最良の形態】
【００１４】
以下、本発明を実施するための好適な実施の形態について、図面を参照して詳細に説明する。
【００１５】
図１は、本発明の一実施の形態に係る部品情報管理装置の構成を示すブロック図である。なお、本実施の形態では、部品を管理する側を部品仕入先メーカ、仕入先に部品を納入する側を部品仕入元メーカと呼んでいる。
【００１６】
図１において、本実施の形態の部品情報管理装置１０は、電子メールを送信してから返信があるまでの時間を計測するための計時部１００と、メールサーバ１２と通信を行うための通信制御部１０１と、コンピュータ１１を接続するための外部機器インタフェース１０２と、少なくとも複数の部品夫々の部品情報とその仕入元情報を格納する部品情報データベース（部品情報記憶手段）１０３と、設計者が部品情報データベース１０３を用いて設計した製品を構成する部品間の階層構造を規定し更に各部品の属性調査の有無を示す情報を含む階層データを格納する製品構成情報データベース（製品構成情報記憶手段）１０４と、部品情報データベース１０３及び製品構成情報データベース１０４をデータバス１０５に接続するためのデータベースインタフェース１０６と、本装置１０を動作させるためのプログラムを記憶している記憶部１０７と、記憶部１０７に記憶されているプログラムに従って本装置１０の各部を制御するための制御部１０８とを備えて構成される。なお、制御部１０８は、属性未調査部品検索手段及び部品属性情報収集手段に対応する。
【００１７】
本実施の形態の部品情報管理装置１０では、部品仕入先メーカの設計者がコンピュータ１１を使用して設計する製品を構成する部品を部品情報データベース１０３から取得し、製品を構成する部品間の階層構造を規定する階層データを作成する。この際、属性調査済みの部品については、調査済みを示すチェック項目にチェックを入れる。これにより、当該部品を示すデータ内のフラグが調整済みを示す「１」に設定される。属性未調査の部品については、調査済みを示すチェック項目にチェックを入れないので、当該部品を示すデータ内のフラグが「０」を維持することになる。作成された階層データは製品構成情報データベース１０４に格納される。
【００１８】
図２は、部品情報管理装置１０を用いたシステムの全体構成図である。図２において、コンピュータ１１は、部品情報管理装置１０に接続して部品情報管理装置１０の端末として機能する。メールサーバ１２は、インターネット等のネットワークに常時接続され、部品情報管理装置１０に対して電子メールサービスを行う。メールサーバ１３は、インターネット等のネットワークに常時接続され、部品仕入元メーカで使用されるコンピュータ１４に対して電子メールサービスを行う。メールサーバ１２とメールサーバ１３は同一のネットワークに接続されていて、電子メールの交換が可能となっている。
【００１９】
メールサーバ１２は、部品情報管理装置１０に接続されたコンピュータ１１で作成された電子メールを送信先相手に電子メールサービスを行うメールサーバへ転送する。この場合、部品仕入元メーカのコンピュータ１４のメールアドレスが指定されていた場合はメールサーバ１３へ転送されることになる。また、メールサーバ１２は、他のメールサーバから転送されてきた電子メールをその宛先のメールボックス（図示略）に格納する。この場合、部品仕入先メーカのコンピュータ１１のメールアドレスが指定されていた場合は当該アドレスで指定されるメールボックスに格納されることになる。また、メールサーバ１２は部品情報管理装置１０に接続されたコンピュータ１１から電子メールの読み取り要求があると、コンピュータ１１に割り当てられたメールボックスを参照して、電子メールがある場合にはそれを取り出してコンピュータ１１へ送る。
【００２０】
メールサーバ１３は、コンピュータ１４で作成された電子メールを送信先相手に電子メールサービスを行うメールサーバへ転送する。この場合、部品仕入先メーカのコンピュータ１１のメールアドレスが指定されていた場合はメールサーバ１２へ転送されることになる。また、他のメールサーバから転送されてきた電子メールをその宛先のメールボックス（図示略）に格納する。この場合、部品仕入元メーカのコンピュータ１４のメールアドレスが指定されていた場合は、当該アドレスで指定されるメールボックスに格納される。また、メールサーバ１３はコンピュータ１４から電子メールの読み取り要求があると、コンピュータ１４に割り当てられたメールボックスを参照して、電子メールがある場合にはそれを取り出してコンピュータ１４へ送る。
【００２１】
次に、部品情報管理装置１０と部品仕入元メーカのコンピュータ１４の動作について説明する。図３は、部品情報管理装置１０における属性未調査部品検索処理の概略を示す図である。
【００２２】
図３において、部品仕入先メーカの設計者がコンピュータ１１を使用して属性未調査部品を自動検索する操作を行うことで、部品情報管理装置１０の制御部１０８が製品構成情報データベース１０４に格納された階層データ中の属性未調査部品を検索し、属性未調査部品があると（例えば、図３のV63420の部品やH32516の部品）、部品情報データベース１０３から当該部品の仕入元メーカを検索する。属性未調査部品の仕入元メーカが見つかると（例えば、図３のＡＢＣ電気）、更に部品情報データベース１０３から、そのメーカから仕入れた他の部品で属性未調査のものを抽出する（例えば、図３のF214200,P356210,W120350,Q128561,T376215,Y335692,U888562,L326120,E2256325）。そして、抽出した属性未調査部品をデータ調査シートに転記し、それを電子メールに添付して部品仕入元メーカに送る。
【００２３】
部品仕入元メーカが電子メールでデータ調査シートを受け取ると、同メーカの担当者がそのデータ調査シートに転記された属性未調査部品について属性を記入する。そして、記入を終えたデータ調査シートを電子メールに添付して部品仕入先メーカへ送る。部品仕入先メーカがその電子メールを受け取ると、添付されているデータ調査シートを部品情報データベース１０３と製品構成情報データベース１０４に反映させる。部品情報管理装置１０の制御部１０８は、部品仕入元メーカにデータ調査シートを送った後、所定期間以内に返信が無い場合には督促メールを送信する。この処理を返信があるまで定期的に行う。
【００２４】
このように、部品仕入先メーカの設計者が属性未調査部品を検索する操作を行うことで、その部品の仕入元メーカが検索されて、その仕入元メーカが納品している他の部品で未調査のものが抽出され、抽出された全ての属性未調査部品がデータ調査シートに転記されて電子メールにて部品仕入元メーカに送られる。そして、当該メーカから完成されたデータ調査シートが送られてくると、部品情報データベース１０３と製品構成情報データベース１０４に反映される。
【００２５】
図４は、部品情報管理装置１０における属性未調査部品検索処理を示すフローチャートである。図４において、まず属性未調査部品検索指示が有るかどうか判定し（ステップＳ１０）、属性未調査部品検索指示が無い場合（ステップＳ１０でＮＯの場合）は他の処理を行い（ステップＳ１１）、属性未調査部品検索指示が有る場合（ステップＳ１０でＹＥＳの場合）は製品構成情報データベース１０４から属性未調査部品を検索する（ステップＳ１２）。この際、製品構成情報データベース１０４に格納されている階層データのフラグを参照し、「０」になっている部品が属性未調査部品である。フラグが「０」になっている全ての部品を検索する。
【００２６】
次いで、属性未調査部品が有るかどうか判定し（ステップＳ１３）、属性未調査部品が無い場合（ステップＳ１３でＮＯの場合）は処理を終了する。これに対して、属性未調査部品が有る場合（ステップＳ１３でＹＥＳの場合）は、部品情報データベース１０３から当該部品の仕入元メーカを検索する（ステップＳ１４）。該当する仕入元メーカが見つかると、更に部品情報データベース１０３から該仕入元メーカの他部品のうち、属性未登録部品を抽出する（ステップＳ１５）。この場合、複数の仕入元メーカに亘って属性未登録部品があると、仕入元メーカごとに属性未登録部品を１つにまとめる。
【００２７】
属性未登録部品の抽出を行った後、仕入元メーカごとに（勿論１社のみの場合もある）データ調査シートを用意して、そのデータ調査シートに属性未登録部品を転記する（ステップＳ１６）。仕入元メーカごとにデータ調査シートに未登録部品を転記した後、各仕入元メーカの電子メールのアドレスを部品情報データベース１０３から取得する（ステップＳ１７）。各仕入元メーカのメールアドレスを取得した後、仕入元メーカごとにデータ調査シートを電子メールに添付して送信する（ステップＳ１８）。そして、各仕入元メーカへの電子メール送信時からの経過時間の計測を開始する（ステップＳ１９）。更に電子メールの送信記録を残すため、送信ログを記録する（ステップＳ２０）。送信ログの記録後、処理を終える。
【００２８】
図５は、部品情報管理装置１０における返信確認及びデータ反映処理を示すフローチャートである。図５において、まずデータ調査シートを送信した仕入元メーカからの返信が有るかどうか判定する（ステップＳ３０）。データ調査シートの返信が無い場合（ステップＳ３０でＮＯの場合）は、データ調査シートの送信時から一定時間経過したかどうか判定する（ステップＳ３１）。すなわち、仕入元メーカごとにデータ調査シートを添付した電子メールの送信時から一定時間を経過したかどうかを判定する。
【００２９】
一定時間経過していない場合（ステップＳ３１でＮＯの場合）はステップＳ３０に戻り、再度データ調査シートの返信の有無を判定する。一定時間経過した場合（ステップＳ３１でＹＥＳの場合）は、返信の無かった仕入元メーカに対して催促の電子メールを送信する（ステップＳ３２）。催促の電子メールの送信後、経過時間計測をリセットする（ステップＳ３３）。この場合、返信が有るまで一定時間毎に繰り返し催促の電子メールを送信するようにしても構わない。経過時間計測をリセットした後は処理を終了する。
【００３０】
一方、上記ステップＳ３０の判定において、データ調査シートの返信があった場合（ステップＳ３０でＹＥＳの場合）は、返信されてきたデータ調査シートに対するデータチェックを行い（ステップＳ３４）、異常がなければ部品情報データベース１０３及び製品構成情報データベース１０４に反映させる（ステップＳ３５）。次いで、送信ログの返信フラグを変更し（ステップＳ３６）、処理を終える。
【００３１】
次に、図６は、部品仕入元のコンピュータ１４におけるデータ調査シート記入処理を示すフローチャートである。まずメールサーバ１３をチェックし（ステップＳ４０）、電子メールが有るかどうか判定する（ステップＳ４１）。電子メールが無い場合（ステップＳ４１でＮＯの場合）は処理を終了し、電子メールが有る場合（ステップＳ４１でＹＥＳの場合）は、その電子メールにデータ調査シートが添付されているかどうか判定する（ステップＳ４２）。データ調査シートが添付されていない場合（ステップＳ４２でＮＯの場合）は処理を終了し、データ調査シートが添付されている場合（ステップＳ４２でＹＥＳの場合）はそのデータ調査シートへの記入を促す表示を行う（ステップＳ４３）。
【００３２】
データ調査シートへの記入を促す表示を行った後、ユーザによるデータ調査シートへの記入の有無を判定し（ステップＳ４４）、記入が行われない場合（ステップＳ４４でＮＯの場合）は、記入が行われるまでステップＳ４４の処理を繰り返し、記入が行われた場合（ステップＳ４４でＹＥＳの場合）は、部品仕入先へデータ調査シートを電子メールに添付して送信する（ステップＳ４５）。データ調査シートの送信後、処理を終了する。
【００３３】
このように、本実施の形態の部品情報管理装置１０によれば、製品構成情報データベース１０４に格納された階層データ中に属性未調査部品があると、その部品の仕入元メーカを部品情報データベース１０３から検索し、該当する部品仕入元メーカが見つかると、該メーカの他の部品で属性未調査のものを部品情報データベース１０３から抽出し、抽出した属性未調査部品をデータ調査シートに転記して電子メールにて部品仕入元メーカに送る。そして、部品仕入元メーカから属性が記入されたデータ調査シートが電子メールにて送られてくると、そのデータ調査シートを部品情報データベース１０３及び製品構成情報データベース１０４に反映させる。データ調査シートを部品仕入元メーカに送った後、一定時間内に返信が無い場合には督促メールを送信する。
【００３４】
したがって、属性未調査部品の部品属性情報を部品１個単位で収集することなく、仕入元（又は部品メーカ）単位で収集できるため、効率良く部品属性情報が集まり、その結果、製品を構成するうえにおいて調査済みである部品数が飛躍的に向上し、未調査部品が激減することから、設計開発効率が向上し、製品を市場に提供できるまでの時間の短縮化に貢献できる。
【産業上の利用可能性】
【００３５】
本発明は、新部品や属性未調査部品の部品属性情報を効率良く集めることができ、設計開発効率を向上させることができるといった効果を有し、電化製品などの各種製品を構成する部品を管理する用途への適用が可能である。
【図面の簡単な説明】
【００３６】
【図１】本発明の一実施の形態に係る部品情報管理装置の構成を示すブロック図
【図２】図１の部品情報管理装置を用いたシステムの全体構成図
【図３】図１の部品情報管理装置における属性未調査部品検索処理の概略を示す図
【図４】図１の部品情報管理装置における属性未調査部品検索処理を示すフローチャート
【図５】図１の部品情報管理装置における返信確認及びデータ反映処理を示すフローチャート
【図６】図２の部品仕入元のコンピュータにおけるデータ調査シート記入処理を示すフローチャート
【符号の説明】
【００３７】
１０  部品情報管理装置
１１、１４  コンピュータ
１２、１３  メールサーバ
１００  計時部
１０１  通信制御部
１０２  外部機器インタフェース
１０３  部品情報データベース
１０４  製品構成情報データベース
１０５  データバス
１０６  データベースインタフェース
１０７  記憶部
１０８  制御部
【図１】
2005346343.tif 000003
【図２】
2005346343.tif 000004
【図３】
2005346343.tif 000005
【図４】
2005346343.tif 000006
【図５】
2005346343.tif 000007
【図６】
2005346343.tif 000008